(57)【要約】【課題】  メーター装置と収容凹部の周縁部との間の隙間を小さくした状態で、両者を損傷することなく容易にしかも迅速に取付作業を行う。【解決手段】  メーター装置５の上部における車幅方向中程に回転軸１３を設ける。収容凹部３の上縁部における車幅方向中程に軸受２５を設ける。メーター装置５の上部を収容凹部３に向けた水平乃至傾斜姿勢で回転軸１３を軸受２５に上方から係合させ、この係合状態からメーター装置５を回転軸１３回りに下方に回転させることで収容凹部３に収容して取り付ける。【選択図】  図５
2006232163.tif 000002
【特許請求の範囲】
【請求項１】
インストルメントパネルの収容凹部にメーター装置を収容して取り付ける取付構造であって、
上記メーター装置の上部における車幅方向中程及び収容凹部の上縁部における車幅方向中程の一方に回転軸が設けられているとともに、他方に軸受が設けられ、
上記回転軸及び軸受は、上記メーター装置をその上部を上記収容凹部に向けた水平乃至傾斜姿勢で上記回転軸と軸受とを上方から係合させた状態から回転軸回りに下方に回転させることで上記収容凹部に収容されて取り付けられるように構成されていることを特徴とするインストルメントパネルへのメーター装置取付構造。
【請求項２】
請求項１に記載のインストルメントパネルへのメーター装置取付構造において、
回転軸近傍及び軸受近傍には当接部がそれぞれ設けられ、
これら当接部は、上記回転軸と軸受との係合状態で互いに当接してメーター装置の車幅方向への移動を規制するようになっていることを特徴とするインストルメントパネルへのメーター装置取付構造。
【請求項３】
請求項１に記載のインストルメントパネルへのメーター装置取付構造において、
メーター装置の上部両端寄り又は収容凹部の上縁部両端寄りには、上記メーター装置を回転軸回りの回動初期段階で上記収容凹部に案内する案内リブが突設されていることを特徴とするインストルメントパネルへのメーター装置取付構造。
【請求項４】
請求項１に記載のインストルメントパネルへのメーター装置取付構造において、
回転軸近傍及び軸受近傍には、メーター装置を収容凹部に収容した状態で互いに重なる縦壁が設けられ、これら縦壁は固定手段で固定されるようになっていることを特徴とするインストルメントパネルへのメーター装置取付構造。
【請求項５】
請求項１に記載のインストルメントパネルへのメーター装置取付構造において、
回転軸及び軸受は同軸線上に複数設けられ、
上記軸受は、車幅方向の断面視において上方が開口し上記回転軸を挿入して係合支持する円形空間の係合凹部を備え、この係合凹部の内径は上記上方開口部の開口幅よりも長く設定され、
上記回転軸は、メーター装置が水平乃至傾斜姿勢にある時、上記係合凹部の上方開口部から該回転軸が係合凹部に挿入可能となるようにその短辺の長さが上記上方開口部の開口幅よりも短く設定され、かつ長辺の長さが上記上方開口部の開口幅よりも長く設定されているとともに上記係合凹部の内径よりも僅かに短く設定された断面略長方形乃至楕円形に形成されていることを特徴とするインストルメントパネルへのメーター装置取付構造。
【発明の詳細な説明】
【技術分野】
【０００１】
この発明は、インストルメントパネルへのメーター装置取付構造の改良に関するものである。
【背景技術】
【０００２】
特許文献１には、インストルメントパネルの収容凹部の両側縁部に支持部材を突設し、上記収容凹部にメーター装置を収容して上記支持部材にネジ止めすることにより、メーター装置を収容凹部に取り付けるようにした取付構造が開示されている。
【特許文献１】特開平８−９９５６３号公報（第２，３頁、図１，４）
【発明の開示】
【発明が解決しようとする課題】
【０００３】
しかし、上記の特許文献１では、メーター装置を作業者が手で持って収容凹部に挿入するため、手が収容凹部の周縁部に当たって作業し辛い。さりとて、手が当たらないように収容凹部を大きくすると、メーター装置の周りに大きな隙間ができてメーター装置の位置決めが難しく、取付作業効率が低下する。また、メーター装置が収容凹部の周縁部に強く当たったり擦ったりして両者が損傷するおそれもある。
【０００４】
この発明はかかる点に鑑みてなされたものであり、その目的とするところは、メーター装置と収容凹部の周縁部との間の隙間を小さくした状態で、両者を損傷することなく容易にしかも迅速に取付作業を行えるようにしたことである。
【課題を解決するための手段】
【０００５】
上記の目的を達成するため、この発明は、メーター装置の一部を収容凹部の縁部に係合させてメーター装置の大半を収容凹部の外側に出した状態でメーター装置を収容凹部に対して位置決めするようにしたことを特徴とする。
【０００６】
具体的には、この発明は、インストルメントパネルの収容凹部にメーター装置を収容して取り付ける取付構造を対象とし、次のような解決手段を講じた。
【０００７】
すなわち、請求項１に記載の発明は、上記メーター装置の上部における車幅方向中程及び収容凹部の上縁部における車幅方向中程の一方に回転軸が設けられているとともに、他方に軸受が設けられ、上記回転軸及び軸受は、上記メーター装置をその上部を上記収容凹部に向けた水平乃至傾斜姿勢で上記回転軸と軸受とを上方から係合させた状態から回転軸回りに下方に回転させることで上記収容凹部に収容されて取り付けられるように構成されていることを特徴とする。
【０００８】
請求項２に記載の発明は、請求項１に記載の発明において、回転軸近傍及び軸受近傍には当接部がそれぞれ設けられ、これら当接部は、上記回転軸と軸受との係合状態で互いに当接してメーター装置の車幅方向への移動を規制するようになっていることを特徴とする。
【０００９】
請求項３に記載の発明は、請求項１に記載の発明において、メーター装置の上部両端寄り又は収容凹部の上縁部両端寄りには、上記メーター装置を回転軸回りの回動初期段階で上記収容凹部に案内する案内リブが突設されていることを特徴とする。
【００１０】
請求項４に記載の発明は、請求項１に記載の発明において、回転軸近傍及び軸受近傍には、メーター装置を収容凹部に収容した状態で互いに重なる縦壁が設けられ、これら縦壁は固定手段で固定されるようになっていることを特徴とする。
【００１１】
請求項５に記載の発明は、請求項１に記載の発明において、回転軸及び軸受は同軸線上に複数設けられ、上記軸受は、車幅方向の断面視において上方が開口し上記回転軸を挿入して係合支持する円形空間の係合凹部を備え、この係合凹部の内径は上記上方開口部の開口幅よりも長く設定され、上記回転軸は、メーター装置が水平乃至傾斜姿勢にある時、上記係合凹部の上方開口部から該回転軸が係合凹部に挿入可能となるようにその短辺の長さが上記上方開口部の開口幅よりも短く設定され、かつ長辺の長さが上記上方開口部の開口幅よりも長く設定されているとともに上記係合凹部の内径よりも僅かに短く設定された断面略長方形乃至楕円形に形成されていることを特徴とする。
【発明の効果】
【００１２】
請求項１に係る発明によれば、メーター装置の上部中程及び収容凹部の上縁部中程の一方に設けられた回転軸と、他方に設けられた軸受とを上方から係合させる。この際、上記メーター装置は上部を収容凹部に向けた水平乃至傾斜姿勢になっているため、その大半が収容凹部の外側に出ており、よって、作業者の手は収容凹部の周縁部に当たらず、作業者は収容凹部の周縁部に邪魔されることなくメータ装置を回転軸回りに下方に回転させて容易かつ迅速に収容凹部に収容して取り付けることができる。また、上述の如く回転軸と軸受との係合によりメーター装置を収容凹部に位置決めできるので、メーター装置と収容凹部の周縁部との間の隙間を小さくしても、両者は強く当たったり擦ったりせず、損傷を防止することができる。
【００１３】
請求項２に係る発明によれば、回転軸近傍及び軸受近傍の各々の当接部が互いに当接することにより、メーター装置の水平方向への移動を規制しているので、メーター装置を回転軸回りに回動させる初期段階においてメーター装置の左右方向のブレをなくし、メーター装置や収容凹部の周縁部の損傷を確実に防止することができるとともに、メーター装置の取付作業効率を高めることができる。
【００１４】
請求項３に係る発明によれば、メーター装置の上部両端寄り又は収容凹部の上縁部両端寄りの案内リブにより、メーター装置を回転軸回りに回動させる初期段階で収容凹部に案内するようにしているので、メーター装置の上下方向のブレをなくし、メーター装置や収容凹部の周縁部の損傷を確実に防止することができるとともに、メーター装置の取付作業効率を高めることができる。
【００１５】
請求項４に係る発明によれば、回転軸近傍及び軸受近傍の各々の縦壁を互いに重ねて固定手段で固定するようにしているので、メーター装置をバランス良く固定でき、固定箇所を減らすことができる。
【００１６】
請求項５に係る発明によれば、メーター装置を水平乃至傾斜姿勢にした状態で、回転軸を短辺側から軸受の上方開口部を経て係合凹部に上方から挿入した後、メーター装置を回転軸回りに下方に回転させて収容凹部に収容すると、上記上方開口部の開口幅よりも長い回転軸の長辺側が上方開口部に向くので、インストルメントパネルが傾いてもメーター装置を収容凹部から脱落することなく確実に収容することができる。
【発明を実施するための最良の形態】
【００１７】
以下、この発明の実施の形態について図面に基づいて説明する。
【００１８】
図１及び図２はこの発明の実施の形態に係る取付構造を示す。図１及び図２において、１は自動車の樹脂製インストルメントパネルであり、このインストルメントパネル１は車室内側から見て左側に収容凹部３が形成され、この収容凹部３に樹脂製のメーター装置５を収容して取り付けるようになっている。また、上記収容凹部３の下側にはステアリング装置取付用の開口部７が連続して形成されている。
【００１９】
上記メーター装置５の上部中程には、図３に示すように、一対のブラケット９が一体に突設され、これらブラケット９間にはネジ挿通孔１１ａを有する縦壁１１が一体に橋絡されている。また、上記両ブラケット９上端には回転軸１３が同軸線上に位置するように外側方にそれぞれ一体に突設され、これら回転軸１３近傍には当接部１５がそれぞれ一体に突設されている。さらに、上記メーター装置５の上部両端寄りには案内リブ１７が背面側に向かってそれぞれ一体に突設されている（図１、図８及び図９参照）。また、上記メーター装置５の下部両端寄りには、下端にタッピングホール１９ａを有する脚部１９がそれぞれ一体に突設されているとともに、下部中央には位置決め孔２１ａを有する位置決め片２１が一体に突設されている。
【００２０】
一方、上記収容凹部３の上縁部中程には、図４に示すように、軸受形成用のベース部２３が車室内側に向かって一体に突設され、このベース部２３先端面には、軸受２５が上記両回転軸１３を回転自在に支持するように車幅方向に間隔をあけて２つ一体に形成されている。上記軸受２５近傍であるベース部２３先端面の両軸受２５間には、ネジ挿通孔２７ａが形成され、このネジ挿通孔２７ａ周りのベース部２３先端面を、上記メーター装置５を収容凹部３に収容した状態で両回転軸１３間の縦壁１１と互いに重なる縦壁２７としている。上記軸受２５は、図７にも示すように、上方が開口しこの上方開口部２９から上記回転軸１３を挿入して係合支持する円形空間の係合凹部３１を備え、この係合凹部３１の内径は、上記上方開口部２９の開口幅よりも長く設定されている。一方、上記回転軸１３は、短辺の長さが上記上方開口部２９の開口幅よりも短く設定され、かつ長辺の長さが上記上方開口部２９の開口幅よりも長く設定されているとともに、上記係合凹部３１の内径よりも僅かに短く設定された断面略長方形乃至楕円形に形成されている。また、上記両軸受２５近傍には、フランジ状の当接部３３が上記回転軸１３を軸受２５で支持した状態で上記回転軸１３側の当接部１５と互いに当接するようにそれぞれ一体に形成されている。
【００２１】
上記収容凹部３の上縁部のベース部２３両側には、複数の掛止孔３５が形成され、これら掛止孔３５にはメーターフード３７下端に突設された複数の掛止爪３９が挿入掛止することで、メーターフード３７で収容凹部３（メーター装置５）を上方から覆うようになっている。また、上記収容凹部３とその下方の開口部７との間には、水平方向に延びる支持板４１が一体に形成され、この支持板４１は水平面部４３と鉛直面部４５とからなり、上記水平面部４３には、ネジ挿入孔４３ａがメーター装置５の両脚部１９のタッピングホール１９ａに対応するようにそれぞれ形成されているとともに、上記鉛直面部４５には、位置決めピン４７がメーター装置５の位置決め片２１の位置決め孔２１ａに対応するように一体に突設されている。
【００２２】
そして、インストルメントパネルの収容凹部３にメーター装置５を取り付けるには、まず、図５に示すように、作業者がメーター装置５を手で持ってメーター装置５の上部を収容凹部３に向けた水平乃至傾斜姿勢にする。この姿勢で、図７仮想線で示すように、回転軸１３は、短辺に沿った方向が大略上下方向（つまり、水平方向ではない方向）となる状態で、短辺の下方側を軸受２５の上方開口部２９に向けて係合凹部３１に挿入可能になっているので、回転軸１３を軸受２５の係合凹部３１に上方から挿入して係合させる。このように、メーター装置５は上部を収容凹部３に向けた水平乃至傾斜姿勢になっているので、その大半が収容凹部３の外側に出ていて、作業者の手は収容凹部３の周縁部に当たらず、作業者は収容凹部３の周縁部に邪魔されることなくその後にメーター装置５を回転軸１３回りに下方に回転させて容易かつ迅速に収容凹部３に収容して取り付けることができる。また、回転軸１３と軸受２５との係合によりメーター装置５を収容凹部３に位置決めできるので、メーター装置５と収容凹部３の周縁部との間の隙間を小さくしても、両者は強く当たったり擦ったりせず、損傷を防止することができる。また、メーター装置５の上部における車幅方向中程及び収容凹部３の上縁部における車幅方向中程に、それぞれ回転軸１３及び軸受２５の係合凹部３１が設けられているため、一般に収容凹部３の車幅方向中程は、該収容凹部３の内、最も上方側に位置する部位であり、収容凹部３やメーター装置５の通常の外観に適応できる。また、このとき、軸受２５は、車室内側に突出することで補強構造をなすベース部２３に形成されているため、位置決めの精度がより向上されることになる。また、この状態で、回転軸１３近傍の当接部１５と軸受２５近傍の当接部３３とが互いに当接しており、メーター装置５の車幅方向への移動を規制している。したがって、その後に行われるメーター装置５を回転軸１３回りに回動させる初期段階においてメーター装置５の左右方向のブレをなくし、メーター装置５や収容凹部３の周縁部の損傷を確実に防止することができるとともに、メーター装置５の取付作業効率を高めることができる。
【００２３】
次いで、この係合状態から作業者がメーター装置５を下方に押し下げると、メーター装置５が回転軸１３回りに下方に回転する。このメーター装置５を回転軸１３回りに回動させる初期段階では、図８に示すように、メーター装置５側の案内リブ１７が収容凹部３の上縁部に当接してメーター装置５が収容凹部３に案内されるので、その後にメーター装置５を回転軸１３回りに回転させてもメーター装置５を上下方向にブレないようにすることができ、メーター装置５や収容凹部３の周縁部の損傷を確実に防止することができるとともに、メーター装置５の取付作業効率を高めることができる。図６及び図９に示すように、メーター装置５を回転軸１３回りに下方に回転させて収容凹部３に収容すると、図７に実線で示すように、上方開口部２９の開口幅よりも長い回転軸１３の長辺側が上方開口部２９に向くので、インストルメントパネル１が傾いてもメーター装置５を収容凹部３から脱落することなく確実に収容することができる。また、図６に示すように、収容凹部３側の支持板４１の位置決めピン４７がメーター装置５側の位置決め片２１の位置決め孔２１ａに挿入され、メーター装置５が収容凹部３に位置決めされる。
【００２４】
その後、クリップナット４９（図４参照）が挿着されたベース部２３側の縦壁２７に、図６に示すように、固定手段としてのネジ５１をメーター装置５側の縦壁１１のネジ挿通孔１１ａを経て縦壁２７のネジ挿通孔２７ａに挿通してクリップナット４９のネジ孔４９ａに螺合させて両縦壁１１，２７を固定する。これにより、メーター装置５をバランス良く固定できるので、固定箇所を減らすことができる。さらに、ネジ５３を支持板４１下方からネジ挿入孔４３ａを経てメーター装置５の脚部１９のタッピングホール１９ａに螺合させ、これにより、メーター装置５が収容凹部３に動かないように取り付けられる。
【００２５】
しかる後、メーターフード３７の掛止爪３９を収容凹部３の上縁部の掛止孔３５に挿入掛止させてメーターフード３７を収容凹部３の上縁部に取り付け、メーターフード３７で収容凹部３（メーター装置５）を上方から覆う。
【００２６】
なお、回転軸１３と軸受２５との係合関係を図１０の変形例のようにしてもよい。この変形例では、メーター装置５の上部中程に第１アーム５５を突設し、この第１アーム５５に回転軸１３を突設している。一方、収容凹部３の上縁部中程に第２アーム５７を突設し、この第２アーム５７先端に軸受２５を形成し、この軸受２５に上記回転軸１３を挿入する軸孔２５ａを形成する。また、第２アーム５７先端に上記軸受２５に対向して上下幅の短い規制片５９を突設する。そして、メーター装置５を収容凹部３に取り付けるには、メーター装置５の上部を収容凹部３に向けた水平乃至傾斜姿勢で回転軸１３を軸受２５の軸孔２５ａに側方から挿入した後、メーター装置５を回転軸１３回りに下方に回転させれば、第１アーム５５が軸受２５と規制片５９との間に挟まれて離脱しないようになっている。
【００２７】
また、上記の実施の形態では、メーター装置５の上部中程に回転軸１３を設けるとともに、収容凹部３の上縁部中程に軸受２５を設けたが、これとは逆に、メーター装置５の上部中程に軸受２５を設けるとともに、収容凹部３の上縁部中程に回転軸１３を設けてもよい。
【００２８】
さらに、上記の実施の形態では、メーター装置５の上部両端寄りに案内リブ１７を設けたが、収容凹部３の上縁部両端寄りに案内リブ１７を設けてもよい。
【産業上の利用可能性】
【００２９】
この発明は、インストルメントパネルにメーター装置を取り付ける取付構造として有用である。
【図面の簡単な説明】
【００３０】
【図１】インストルメントパネルにメーター装置を取り付ける前の斜視図である。
【図２】インストルメントパネルにメーター装置を取り付けた斜視図である。
【図３】メーター装置の回転軸部分の拡大図である。
【図４】インストルメントパネルの軸受部分の拡大図である。
【図５】インストルメントパネルの軸受にメーター装置の回転軸を係合させた状態の図２におけるＡ−Ａ線に相当する断面図である。
【図６】メーター装置を回転軸回りに回転させてインストルメントパネルの収容凹部に収容した状態の図２におけるＡ−Ａ線に相当する断面図である。
【図７】回転軸を軸受に係合させる要領を説明する拡大図である。
【図８】インストルメントパネルの軸受にメーター装置の回転軸を係合させた状態からメーター装置を回転軸回りに回動させる初期段階の図２におけるＢ−Ｂ線に相当する断面図である。
【図９】メーター装置を回転軸回りに回転させてインストルメントパネルの収容凹部に収容した状態の図２におけるＢ−Ｂ線に相当する断面図である。
【図１０】回転軸及び軸受の変形例を示す斜視図である。
【符号の説明】
【００３１】
１          インストルメントパネル
３          収容凹部
５          メーター装置
１３        回転軸
２５        軸受
１１，２７  縦壁
１５，３３  当接部
１７        案内リブ
２９        上方開口部
３１        係合凹部
５１        ネジ（固定手段）
【図１】
2006232163.tif 000003
【図２】
2006232163.tif 000004
【図３】
2006232163.tif 000005
【図４】
2006232163.tif 000006
【図５】
2006232163.tif 000007
【図６】
2006232163.tif 000008
【図７】
2006232163.tif 000009
【図８】
2006232163.tif 000010
【図９】
2006232163.tif 000011
【図１０】
2006232163.tif 000012